(57)【要約】  本発明の一実施例によれば、血中循環癌細胞およびＡＲ変異体の光学画像分析により、前立腺癌患者へのＡＲ標的治療の適用可否を分析できる前立腺癌患者スクリーニング方法を提供する。【選択図】  図６
2020529023.tif 000002
【特許請求の範囲】
【請求項１】
前立腺癌患者から血液を取得するステップと、
バイオチップを用いて、前記血液から血中循環癌細胞を分離するステップと、
前記分離された血中循環癌細胞を、血中循環癌細胞に特異的に結合する蛍光マーカーおよびＡＲ変異体に特異的に結合する蛍光マーカーと反応させるステップと、
前記蛍光マーカーと反応させた血中循環癌細胞およびＡＲ変異体を対象として、複数の波長範囲のそれぞれに対する光学画像を受信するステップと、
前記複数の波長範囲の全体または一部の光学画像において、前記血中循環癌細胞および前記ＡＲ変異体の蛍光強度を測定し、第１フィルタ処理を行うステップと、
前記複数の波長範囲の全体または一部の光学画像において、前記血中循環癌細胞のモルフォロジー（ｍｏｒｐｈｏｌｏｇｙ）を測定し、第２フィルタ処理を行うステップと、
前記複数の波長範囲のそれぞれに対する光学画像の全体または一部をマージした統合画像において、前記血中循環癌細胞のモルフォロジーを測定し、第３フィルタ処理を行うステップと、
前記第３フィルタ処理がされた光学画像から、ＡＲ変異体の血中循環癌細胞の核への局所化（ｌｏｃａｌｉｚａｔｉｏｎ）の有無を検出するステップと、
前記局所化検出により前立腺癌患者へのアンドロゲン標的治療の適用可否を分析するステップと、を含む
ことを特徴とする前立腺癌患者スクリーニング方法。
【請求項２】
前記血中循環癌細胞に特異的に結合する蛍光マーカーは、４’，６−ジアミジノ−２−フェニルインドール（ＤＡＰＩ：４’，６−ｄｉａｍｉｄｉｎｏ−２−ｐｈｅｎｙｌｉｎｄｏｌｅ）、ビメンチン（ｖｉｍｅｎｔｉｎ）に特異的な抗体、前立腺特異抗原（ＰＳＡ：ｐｒｏｓｔａｔｅ  ｓｐｅｃｉｆｉｃ  ａｎｔｉｇｅｎ）に特異的な抗体、上皮細胞接着分子（ＥｐＣＡＭ：Ｅｐｉｔｈｅｌｉａｌ  ｃｅｌｌ  ａｄｈｅｓｉｏｎ  ｍｏｌｅｃｕｌｅ）に特異的な抗体およびサイトケラチン（ＣＫ：ｃｙｔｏｋｅｒａｔｉｎ）に特異的な抗体からなる群から選択される少なくとも１つである
請求項１に記載の前立腺癌患者スクリーニング方法。
【請求項３】
前記ＡＲ変異体は、ＡＲ−Ｖ７またはＡＲ−Ｖ５６７である
請求項１に記載の前立腺癌患者スクリーニング方法。
【請求項４】
前記光学画像を受信するステップにおいて、前記複数の波長範囲の光学画像は、青色の波長範囲の画像、緑色の波長範囲の画像、及び赤色の波長範囲の画像を含む
請求項１に記載の前立腺癌患者スクリーニング方法。
【請求項５】
前記青色の波長範囲の画像において、前記第１フィルタ処理を行うステップおよび前記第２フィルタ処理を行うステップを実行して、血中循環癌細胞の細胞核を判別する
請求項４に記載の前立腺癌患者スクリーニング方法。
【請求項６】
前記緑色の波長範囲の画像および前記赤色の波長範囲の画像のうちの１つ以上の画像において、前記第１フィルタ処理を行うステップを実行して、血中循環癌細胞の細胞膜を判別する
請求項４に記載の前立腺癌患者スクリーニング方法。
【請求項７】
前記血中循環癌細胞のモルフォロジーは、細胞面積、細胞サイズ、および真円度（ｃｉｒｃｕｌａｒｉｔｙ）のうちの１つ以上を含む
請求項１に記載の前立腺癌患者スクリーニング方法。
【請求項８】
前記第１フィルタ処理を行うステップは、
前記複数の波長範囲の全体または一部の光学画像から血中循環癌細胞の大きさを測定するステップと、
前記測定された血中循環癌細胞の大きさよりも所定の割合または量だけ大きい多角形または円形からなる領域を設定し、前記領域内で血中循環癌細胞の蛍光強度を測定し、第１フィルタ処理を行うステップと、を含む
請求項１に記載の前立腺癌患者スクリーニング方法。
【請求項９】
前記血中循環癌細胞を分離するステップは、大気圧１０００〜１０２０ｈＰａ下で行われる
請求項１に記載の前立腺癌患者スクリーニング方法。
【請求項１０】
前記バイオチップは、ＢＳＡ溶液でコーティングされた高密度マイクロチップである
請求項１に記載の前立腺癌患者スクリーニング方法。
【請求項１１】
前記高密度マイクロチップは、サイズ特異性を有する
請求項１０に記載の前立腺癌患者スクリーニング方法。
【請求項１２】
前記ＢＳＡ溶液のコーティングは、０．０５〜０．１５％の濃度で行われる
請求項１０に記載の前立腺癌患者スクリーニング方法。
【請求項１３】
前記前立腺癌は、去勢抵抗性前立腺癌（ｃａｓｔｒａｔｉｏｎ−ｒｅｓｉｓｔａｎｔ  ｐｒｏｓｔａｔｅ  ｃａｎｃｅｒ）である
請求項１に記載の前立腺癌患者スクリーニング方法。
【発明の詳細な説明】
【技術分野】
【０００１】
本発明は、前立腺癌患者スクリーニング方法に係り、さらに詳しくは、血中循環癌細胞を用いて、アンドロゲン受容体変異体（ＡＲ変異体）および血中循環癌細胞の光学画像分析による前立腺癌患者スクリーニング方法に関する。
【背景技術】
【０００２】
前立腺癌は、男性で最も一般的な癌の一つであり、欧米では２番目に多く、東洋では５番目に多い癌である。前立腺癌による死亡のほとんどは、従来のアンドロゲン遮断療法に反応しない転移性疾患の発症によって引き起こされる。アンドロゲン遮断療法は、１９４０年代から前立腺癌患者の標準的治療として使用されてきた。アンドロゲン遮断にもかかわらず、最終的にはほとんどの患者で病気が進行される。具体的にみると、正常な前立腺のアンドロゲン受容体（ＡＲ：ａｎｄｒｏｇｅｎ  ｒｅｃｅｐｔｏｒ）は、正常な前立腺機能のためのタンパク質転写をエンコードする遺伝子の調節と前立腺の開発において主要な役割を果たす。ほとんどの前立腺癌は、アンドロゲン依存性の癌である。前立腺癌の腫瘍細胞でのアンドロゲンのレベルが増加すると、アンドロゲン受容体（ＡＲ）シグナル伝達（ｓｉｇｎａｌｉｎｇ）が促進される。これは結果的に、腫瘍細胞の細胞周期の調節、生存、成長、腫瘍形成に関連する遺伝子発現を調節する。伝統的に、このような前立腺癌の治療は、アンドロゲンおよびアンドロゲン受容体シグナル伝達の量を減らすための外科的去勢や化学的去勢によって行われてきた。しかし、患者の約９０％がこの治療を受けた場合でも、その後癌が再発し、去勢抵抗性前立腺癌（ＣＲＰＣ：Ｃａｓｔｒａｔｉｏｎ−Ｒｅｓｉｓｔａｎｔ  Ｐｒｏｓｔａｔｅ  Ｃａｎｃｅｒ）の形で腫瘍増殖が生じた。この場合、多くの前立腺癌患者は、異常なアンドロゲン受容体スプライスバリアント（Ａｎｄｒｏｇｅｎ  Ｒｅｃｅｐｔｏｒ  ｓｐｌｉｃｅ  ｖａｒｉａｎｔ）の発現の増加を示した。その中でＡＲ−ｖ７（Ａｎｄｒｏｇｅｎ  ｒｅｃｅｐｔｏｒ  ｓｐｌｉｃｅ  ｖａｒｉａｎｔ−７：アンドロゲン受容体スプライスバリアント７）は、Ｃ末端ＬＢＤ（ｌｉｇａｎｄ−ｂｉｎｄｉｎｇ  ｄｏｍａｉｎ：リガンド結合ドメイン）が切断されて存在しないＡＲタンパク質（アンドロゲン受容体タンパク質）をエンコードし、このような構造のＡＲ−ｖ７は、常に活性状態を維持するため、標的遺伝子の活性を促進させることができる。また、ＡＲ−Ｖ５６７変異体は、エンザルタミド（ｅｎｚａｌｕｔａｍｉｄｅ）の効力を阻害する。したがって、ＣＲＰＣの場合には、エンザルタミドなどの従来の抗癌剤に抵抗性（耐性）を示し、腫瘍増殖が行われる。
【０００３】
前立腺癌の治療法に反応する患者または反応するような患者を識別することが、前立腺癌の効果的な治療のための目標となり得る。前立腺癌は、血清前立腺特異抗原（ＰＳＡ：Ｐｒｏｓｔａｔｅ  Ｓｐｅｃｉｆｉｃ  Ａｎｔｉｇｅｎ）検査、超音波検査、組織生検などの方法を用いて診断でき、ＡＲ−ｖ７の発現パターンは、組織生検で確認できる。しかしながら、組織生検の場合、患者から反復採取が困難であり、患者に肉体的負担を与えるおそれがある。このため、患者の負担を軽減するとともに、ＡＲ−Ｖ７およびＡＲ−Ｖ５６７を確認できる技術が求められているのが現状である。
【発明の概要】
【発明が解決しようとする課題】
【０００４】
本発明の目的は、血中循環癌細胞で発現するＡＲ変異体を光学画像分析により検出し、これによりアンドロゲン標的治療の適用可否を分析することにより、前記アンドロゲン標的治療について前立腺癌患者をスクリーニングする方法を提供することである。
【０００５】
本発明が解決しようとする技術的課題は、上述した技術的課題に何ら制限されるものではなく、未言及の他の技術的課題は、次の記載から本発明が属する技術分野において通常の知識を有する者にとって明らかに理解できる筈である。
【課題を解決するための手段】
【０００６】
前記技術的課題を達成するために、本発明の一側面による前立腺癌患者スクリーニング方法は、
前立腺癌患者から血液を取得するステップと、
バイオチップを用いて、前記血液から血中循環癌細胞を分離するステップと、
前記分離された血中循環癌細胞を、血中循環癌細胞に特異的に結合する蛍光マーカーおよびＡＲ変異体に特異的に結合する蛍光マーカーと反応させるステップと、
前記蛍光マーカーと反応させた血中循環癌細胞およびＡＲ変異体を対象として、複数の波長範囲のそれぞれに対する光学画像を受信するステップと、
前記複数の波長範囲の全体または一部の光学画像において、前記血中循環癌細胞および前記ＡＲ変異体の蛍光強度を測定し、第１フィルタ処理を行うステップと、
前記複数の波長範囲の全体または一部の光学画像において、前記血中循環癌細胞のモルフォロジー（ｍｏｒｐｈｏｌｏｇｙ）を測定し、第２フィルタ処理を行うステップと、
前記複数の波長範囲のそれぞれに対する光学画像の全体または一部をマージした統合画像において、前記血中循環癌細胞のモルフォロジーを測定し、第３フィルタ処理を行うステップと、
前記第３フィルタ処理がされた光学画像から、ＡＲ変異体の血中循環癌細胞の核への局所化（ｌｏｃａｌｉｚａｔｉｏｎ）の有無を検出するステップと、
前記局所化検出により前立腺癌患者へのアンドロゲン標的治療の適用可否を分析するステップと、
を含んでいてもよい。
【０００７】
本発明の実施例において、前記血中循環癌細胞に特異的に結合する蛍光マーカーは、４’，６−ジアミジノ−２−フェニルインドール（ＤＡＰＩ：４’，６−ｄｉａｍｉｄｉｎｏ−２−ｐｈｅｎｙｌｉｎｄｏｌｅ）、ビメンチン（ｖｉｍｅｎｔｉｎ）に特異的な抗体、前立腺特異抗原（ＰＳＡ：ｐｒｏｓｔａｔｅ  ｓｐｅｃｉｆｉｃ  ａｎｔｉｇｅｎ）に特異的な抗体、上皮細胞接着分子（ＥｐＣＡＭ：Ｅｐｉｔｈｅｌｉａｌ  ｃｅｌｌ  ａｄｈｅｓｉｏｎ  ｍｏｌｅｃｕｌｅ）に特異的な抗体およびサイトケラチン（ＣＫ：ｃｙｔｏｋｅｒａｔｉｎ）に特異的な抗体からなる群から選択される少なくとも１つであってもよい。
【０００８】
本発明の実施例において、前記ＡＲ変異体は、ＡＲ−Ｖ７またはＡＲ−Ｖ５６７であってもよい。
【０００９】
本発明の実施例において、前記光学画像を受信するステップにおいて、前記複数の波長範囲の光学画像は、青色の波長範囲の画像、緑色の波長範囲の画像、及び赤色の波長範囲の画像を含んでいてもよい。
【００１０】
本発明の実施例において、前記青色の波長範囲の画像において、前記第１フィルタ処理を行うステップおよび前記第２フィルタ処理を行うステップを実行して、血中循環癌細胞の細胞核を判別してもよい。
【００１１】
本発明の実施例において、前記緑色の波長範囲の画像および前記赤色の波長範囲の画像のうちの１つ以上の画像において、前記第１フィルタ処理を行うステップを実行して、血中循環癌細胞の細胞膜を判別してもよい。
【００１２】
本発明の実施例において、前記血中循環癌細胞のモルフォロジーは、細胞面積、細胞サイズ、および真円度（ｃｉｒｃｕｌａｒｉｔｙ）のうちの１つ以上を含んでいてもよい。
【００１３】
本発明の実施例において、前記第１フィルタ処理を行うステップは、
前記複数の波長範囲の全体または一部の光学画像から血中循環癌細胞の大きさを測定するステップと、
前記測定された血中循環癌細胞の大きさよりも所定の割合または量だけ大きい多角形または円形からなる領域を設定し、前記領域内で血中循環癌細胞の蛍光強度を測定し、第１フィルタ処理を行うステップと、を含んでいてもよい。
【００１４】
本発明の実施例において、前記血中循環癌細胞を分離するステップは、大気圧１０００〜１０２０ｈＰａ下で行われてもよい。
【００１５】
本発明の実施例において、前記バイオチップは、ＢＳＡ溶液でコーティングされた高密度マイクロチップであってもよい。
【００１６】
本発明の実施例において、前記高密度マイクロチップは、サイズ特異性を有してもよい。
【００１７】
本発明の実施例において、前記ＢＳＡ溶液のコーティングは、０．０５〜０．１５％の濃度で行われてもよい。
【００１８】
本発明の実施例において、前記前立腺癌は、去勢抵抗性前立腺癌（ｃａｓｔｒａｔｉｏｎ−ｒｅｓｉｓｔａｎｔ  ｐｒｏｓｔａｔｅ  ｃａｎｃｅｒ）であってもよい。
【発明の効果】
【００１９】
本発明の実施例によれば、血中循環癌細胞で発現されるＡＲ−Ｖ７の画像分析により、アンドロゲン標的治療法が適用できる前立腺癌患者を判別することができる。
【００２０】
本発明の効果は、前述した効果に限定されるものではなく、本発明の詳細な説明の欄または特許請求の範囲に記載の発明の構成から推論可能なあらゆる効果を含むものと理解されるべきである。
【図面の簡単な説明】
【００２１】
【図１】血中循環癌細胞を分離する過程を示す説明図
【図２】高密度マイクロチップによって分離された血中循環癌細胞を撮影した写真
【図３】本発明による培養液で培養された血中循環癌細胞の成長と分裂、および一般的な培養液で培養された血中循環癌細胞の成長と分裂について示すグラフ
【図４】本発明による培養液を用いて、本発明で使用されるハイドロゲルコーティングされた培養プレートで培養された血中循環癌細胞の成長と分裂、および一般的な培養プレートで培養された血中循環癌細胞の成長と分裂について示すグラフ
【図５】青、緑および赤の波長範囲における標的細胞の光学画像のサンプル写真
【図６】図５に示す標的細胞の光学画像をマージした統合画像写真
【図７】種々の蛍光色素またはマーカーが結合した標的細胞の形状および蛍光強度の測定結果を示す説明図
【図８】光学的細胞識別方法を実現したプログラムの駆動例の説明図
【図９】前立腺癌細胞株および白血球ｓｐｉｋｅ−ｉｎスライドを使用した、血中循環細胞のＤＡＰＩ、ＥｐＣＡＭ、ｐａｎ−ＣＫ、ＡＲ−Ｖ７及びＣＤ４５に対する免疫蛍光画像
【図１０】前立腺癌患者のサンプルにおける血中循環細胞のＤＡＰＩ、ＥｐＣＡＭ、ｐａｎ−ＣＫ、ＡＲ−Ｖ７及びＣＤ４５に対する免疫蛍光画像
【発明を実施するための形態】
【００２２】
以下、本発明が属する技術分野における通常の知識を有する者が容易に実施できるように、本発明の実施例について詳細に説明する。しかしながら、本発明は、種々の異なる形態に具現化でき、ここで説明する実施例に限定されるものではない。
【００２３】
実施例１：高密度マイクロチップの製造
実験で使用されている高密度マイクロチップは、気孔径（ｐｏｒｅ−ｓｉｚｅ）が５．５〜８．５μｍであるため、５．５μｍよりも小さい白血球（ＷＢＣ：ｗｈｉｔｅ  ｂｌｏｏｄ  ｃｅｌｌ）および赤血球（ＲＢＣ：ｒｅｄ  ｂｌｏｏｄ  ｃｅｌｌ）の場合、チップを通過させて除去し、５．５μｍよりも大きい標的細胞の場合、チップを通過させないようにすることで、特定のサイズを選択的に回収できるように考案したマイクロチップである。
【００２４】
ちなみに、高密度マイクロチップの細胞回収率を確認するために、癌患者の癌細胞を１０個、１００個、１０００個スパイク（ｓｐｉｋｉｎｇ）して、それをチップに通過させて、チップ上の癌細胞の回収率を調べる実験を行った。その結果を下記表１に示す。
【００２５】
【表１】
2020529023.tif 000003
【００２６】
チップの細胞回収率を計算した結果、約８０％以上の高い細胞回収率を示し、回収された細胞が癌細胞であることを再び確認するために、従来の癌検定で使われているＣＫ抗体を染色して確認した結果、いずれもＣＫ陽性癌細胞であることが確認された。
【００２７】
実施例２：血中循環癌細胞（ＣＴＣ）の分離過程
１．血液５ｍｌに抗体重合体２５０μｌを入れ、３秒程度混合した後、常温で２０分間反応させる。
２．１％ＦＢＳを含むＰＢＳ５ｍｌを加える。
３．Ｆｉｃｏｌｌ溶液１５ｍｌが入っている５０ｍｌチューブ（ｔｕｂｅ）に反応溶液１０ｍｌを注意深く入れる。
４．溶液を１２００ｇで２０分間遠心分離し、血球細胞を１次的に除去する。
５．不要な細胞吸着を防止するために、高密度マイクロチップ（ＨＤ  Ｍｉｃｒｏｐｏｒｏｕｓ  ｃｈｉｐ、濾過網）を０．１％ＢＳＡ溶液で１０分間処理してコーティングした後、ＰＢＳでリンスする。
６．Ｆｉｃｏｌｌの上層溶液を濾過網上に置き、微量に存在する赤血球を重力濾過して、高純度の血中循環癌細胞を２次的に分離する。これにより、遠心分離や免疫ビーズ（ｉｍｍｕｎｏｂｅａｄ）などの処理を行わないことにより、血中循環癌細胞の損傷を防ぐ。
７．分離された血中循環癌細胞は染色により同定される。
【００２８】
実施例３.分離された血中循環癌細胞の短期培養
本発明による高密度マイクロチップにより分離された血中循環癌細胞を、中性電荷を有する親水性ハイドロゲルでコーティングされた超低付着（Ｕｌｔｒａ  ｌｏｗ  ａｔｔａｃｈｍｅｎｔ）培養プレートに播種した。前記培養プレートには、１１ｎｇ／ｍｌのインスリン、２２ｎｇ／ｍｌのトランスフェリン、２ｎｇ／ｍｌのＥＧＦおよび８μＭのＲＯＣＫ阻害剤を含む培養液が含まれており、前記短期培養は、培養した時点から１４日間、細胞培養インキュベーターで３７℃および５〜１０％ＣＯ２の条件下で行われた。
【００２９】
実施例４．血中循環癌細胞の確認
前記実施例３により短期培養された血中循環癌細胞が染色法により癌細胞であることを確認するために、下記の方法を用いて細胞染色工程を行う。
【００３０】
１．細胞遠心分離法であるサイトスピン（ｃｙｔｏｓｐｉｎ）工程を行い、回収した細胞を染色用スライドに固定する。
２．抗体が細胞内に入ることができるように、透過（ｐｅｒｍｅａｂｉｌｉｚａｔｉｏｎ）工程を行う。
３．ＰＢＳで洗浄（ｗａｓｈｉｎｇ）工程を行う。
４．ＰＢＳを用いて１％ＢＳＡ（ｂｏｖｉｎｅ  ｓｅｒｕｍ  ａｌｂｕｍｉｎ：ウシ血清アルブミン）を得、非特異的結合（ｎｏｎ−ｓｐｅｃｉｆｉｃ  ｂｉｎｄｉｎｇ）および内因性ペルオキシダーゼ活性（ｅｎｄｏｇｅｎｏｕｓ  ｐｅｒｏｘｉｄａｓｅ  ａｃｔｉｖｉｔｙ）を低下させるために、ブロッキング（ｂｌｏｃｋｉｎｇ）工程を行う。
５．１次抗体としての上皮細胞接着分子（ＥｐＣＡＭ：ｅｐｉｔｈｅｌｉａｌ  ｃｅｌｌ  ａｄｈｅｓｉｏｎ  ｍｏｌｅｃｕｌｅ）、サイトケラチン（ＣＫ：ｃｙｔｏｋｅｒａｔｉｎ：）、分化抗原群（ＣＤ：ｃｌｕｓｔｅｒ  ｏｆ  ｄｉｆｆｅｒｅｎｔｉａｔｉｏｎ）４５を、常温で６０分間反応させる。
６．前記１次抗体に結合する蛍光標識された二次抗体を、室温で６０分間反応させる。
７．ＰＢＳで洗浄工程を行う。
８．最後に、細胞核を染色するために、４’，６−ジアミジノ−２−フェニルインドール（ＤＡＰＩ：４’，６−ｄｉａｍｉｄｉｎｏ−２−ｐｈｅｎｙｌｉｎｄｏｌｅ）溶液を入れた後、ガラスカバーを覆い、常温で１０分間反応させる。
９．染色された細胞を観察しながら、染色率および回収率をマニュアルで計算する。
【００３１】
実施例５．血中循環癌細胞およびＡＲ−Ｖ７蛍光画像分析
１．前記実施例４で蛍光標識された血中循環癌細胞を準備する。
２．ＡＲ−Ｖ７に特異的な１次抗体（マウス）を、前記実施例４で蛍光標識された血中循環癌細胞と反応させた後、２次抗体（Ａｌｅｘａ５４６（マウス））を反応させてＡＲ−Ｖ７を蛍光標識する（ＡＲ−Ｖ７関連１，２次抗体は、１次ＡＲ−Ｖ７抗体（ウサギ）−２次抗体Ａｌｅｘａ５４６（ウサギ）の組み合わせを使用してもよい）。
３．前記反応後の血中循環癌細胞をスライドにロードした後、前記スライドをＳｍａｒｔＢｉｏｐｓｙ  Ｃｅｌｌ  Ｉｍａｇｅ  Ａｎａｌｙｚｅｒ（ＣＩＡ  ０２０）のプラットフォーム上に置く。
４．複数の波長範囲を設定して画像を撮影した後、蛍光強度の測定を行う。
５．複数の波長範囲で前記蛍光強度を測定する場合、血中循環癌細胞およびＡＲ−Ｖ７の蛍光波長を測定して第１フィルタ処理を行う。
６．前記第１フィルタ処理により血中循環癌細胞の細胞核および細胞膜に対して、蛍光マーカー（ＤＡＰＩ、ＥｐＣＡＭ、ＣＫ、ＣＤ４５）の蛍光波長（青、緑、赤）を測定する。
７．前記測定された蛍光の波長において、再び血中循環癌細胞を標識した蛍光物質の波長に対して、血中循環癌細胞の面積、細胞の大きさ及び円形度（ｃｉｒｃｕｌａｒｉｔｙ）を測定する第２フィルタ処理を行う。
８．前記第２フィルタ処理は、前記第１フィルタ処理された画像から血中循環癌細胞の細胞核をさらに測定および分析し、ＣＤ４５（赤色）で染色された細胞を除く工程を行うことを含む。
９．前記第１フィルタ処理画像及び第２フィルタ処理画像を全体として統合した後、再び血中循環癌細胞の面積、細胞の大きさおよび円形度（ｃｉｒｃｕｌａｒｉｔｙ）を測定および分析する第３フィルタ処理を行う。
１０．各蛍光波長の強度を測定し、これを数値化する。
【００３２】
比較例１．培養液による血中循環癌細胞の培養された細胞数の変化
一般に、細胞培養に使用される細胞培養液および本発明による培養液における血中循環癌細胞の分裂および成長の度合いを比較実験した。一般に、細胞培養に使用される培養液は、２５ｎＭ亜セレン酸ナトリウム、５０ｎＭヒドロコルチゾン、０．０１ｍＭエタノールアミン、０．０１ｍＭホスホリルエタノールアミン、１００ｐＭトリヨードサイロニン、０．５％（ｗ／ｖ）ウシ血清アルブミン、１０ｍＭＨＥＰＥＳ、０．５ｍＭピルビン酸ナトリウム、４．５ｍＭ  Ｌ−グルタミンおよび１Ｘ抗生物質（ａｎｔｉｂｉｏｔｉｃ）−抗真菌剤（ａｎｔｉｍｙｃｏｔｉｃ）を含み、本発明による培養液は、前記実施例３と同様である。また、培養条件は、一般的なプレートを用いたことを除いては、実施例３と同様である。
【００３３】
図３に示すように、ＣＤ４５−は、培養される血中循環癌細胞のバイオマーカーであり、Ｎｏｒｍａｌ  ｇｒｏｗｔｈ  ｍｅｄｉａ（通常の成長培地）は一般的な細胞培養液を意味し、ＣＧ  ｇｒｏｗｔｈ  ｍｅｄｉａ（ＣＧ成長培地）は本発明による培養液を意味する。図３は、本発明による培養液で培養された血中循環癌細胞がより多いことを示し、これは、一般的な培養液よりも本発明による培養液の方が、血中循環癌細胞の分裂および培養においてより効果的であることを示す。
【００３４】
上述した本発明の説明は、単なる例示のためのものであり、本発明の属する技術分野における通常の知識を有する者は、本発明の技術的な思想や必須的な特徴を変更することなく、他の具体的な形態へと容易に変形できる。よって、上述した実施例は、あらゆる面において例示的なものに過ぎず、限定的ではない。例えば、単一型であると説明されている各構成要素は、分散されて実施されてもよく、同様に、分散されていると説明されている構成要素もまた、組み合わせられた形態に実施されてもよい。 
【００３５】
本発明の範囲は、後述する特許請求の範囲によって表わされ、特許請求の範囲の意味及び範囲、並びにその均等概念から導き出されるあらゆる変更または変形された形態が本発明の範囲に含まれる。
【００３６】
以下では、添付図面に基づいて、本発明を詳しく説明する。しかしながら、本発明は、種々の異なる形態に具現化可能であり、したがって、ここで説明する実施例に限定されるものではない。また、図中、本発明を明確に説明するために、説明とは無関係な部分は省略し、明細書の全般に亘って、類似の部分には類似の図面符号を付している。
【００３７】
明細書の全般に亘って、ある部分が他の部分と「連結（接続、接触、結合）」されているとしたとき、これは、「直接的に連結（接続、接触、結合）」されている場合のみならず、これらの間に他の部材を挟んで「間接的に連結（接続、接触、結合）」されている場合も含む。なお、ある部分がある構成要素を「含む」としたとき、これは、特に断りのない限り、他の構成要素を除外するわけではなく、他の構成要素をさらに備えていてもよいことを意味する。
【００３８】
本明細書において用いた用語は、単に特定の実施例を説明するために用いられたものであり、本発明を限定しようとする意図はない。単数の表現は、文脈からみて明らかに他の意味を有さない限り、複数の言い回しを含む。本明細書において、「含む」または「有する」などの用語は、明細書に記載の特徴、数字、ステップ、動作、構成要素、部品またはこれらを組み合わせたものが存在することを指定するものに過ぎず、１つまたはそれ以上の他の特徴や数字、ステップ、動作、構成要素、部品またはこれらを組み合わせたものの存在または付加の可能性を予め排除しない。
【００３９】
以下、添付図面に基づいて、本発明の実施例を詳しく説明する。
【００４０】
本発明の一側面による前立腺癌患者スクリーニング方法は、（ａ）前立腺癌患者から血液を取得するステップと、（ｂ）バイオチップを用いて、前記血液から血中循環癌細胞を分離するステップと、（ｃ）血中循環癌細胞に特異的に結合する蛍光マーカーおよびＡＲ変異体に特異的に結合する蛍光マーカーと反応させるステップと、（ｄ）前記蛍光マーカーと反応させた血中循環癌細胞およびＡＲ変異体を対象として、複数の波長範囲のそれぞれに対する光学画像を受信するステップと、（ｅ）前記複数の波長範囲の全体または一部の光学画像から、前記血中循環癌細胞および前記ＡＲ変異体の蛍光強度を測定し、第１フィルタ処理を行うステップと、（ｆ）前記複数の波長範囲の全体または一部の光学画像から、前記血中循環癌細胞のモルフォロジー（ｍｏｒｐｈｏｌｏｇｙ）を測定し、第２フィルタ処理を行うステップと、（ｇ）前記複数の波長範囲のそれぞれの光学画像の全体または一部をマージした統合画像から、前記血中循環癌細胞のモルフォロジーを測定し、第３フィルタ処理を行うステップと、（ｈ）前記第３フィルタ処理がされた光学画像から、ＡＲ変異体の血中循環癌細胞の核への局所化（ｌｏｃａｌｉｚａｔｉｏｎ）の有無を検出するステップと、（ｉ）前記局所化検出により前立腺癌患者へのアンドロゲン標的治療の適用可否を分析するステップと、を含んでいてもよい。
【００４１】
前記血中循環癌細胞（Ｃｉｒｃｕｌａｔｉｎｇ  Ｔｕｍｏｒ  Ｃｅｌｌｓ、ＣＴＣ）とは、悪性腫瘍の患者の末梢血に見られる腫瘍細胞を意味する。血中循環癌細胞は非常にまれであり、入手できる標本の量が非常に制限される。血中循環癌細胞の検出および特性解析における技術は、複数の逆転写定量ポリメラーゼ連鎖反応の方法、イメージングベースのアプローチ、および精密ろ過法、ならびにマイクロチップデバイスを含み、これらに限定されない。血中循環癌細胞は、液体生検検体によりパーソナライズされた治療と治療後の経過観察を必然的に提供できる腫瘍の生物学的マーカーとして機能することができる。また、血中循環癌細胞は、腫瘍の生物学的特性および腫瘍細胞の播種を理解するための標的として使用できるが、これらに限定されない。本発明の一実施例によれば、前記血中循環癌細胞は肺癌由来細胞であってもよい。本発明の好適な一実施例によれば、前記血中循環癌細胞は非小細胞肺癌由来細胞であってもよい。
【００４２】
前記バイオチップとは、半導体などの無機物からなる固体基質に、生物に由来するＤＮＡ、タンパク質、酵素、抗体、微生物、動植物細胞および器官、神経細胞などの物質を、高密度に集積化して組み合わせて、従来の半導体チップ形状にした混成素子であり、生体分子の固有の機能を用いて、遺伝子発現パターン、遺伝子結合、タンパク質の分布などの生物学的情報を得るか、または生化学的プロセスおよび反応速度または情報処理速度を高めるツールや装置をいう。
【００４３】
前記高密度マイクロチップとは、バイオチップの作用原理に基づいて特定のサイズの物質を分離できるバイオチップをいう。
【００４４】
前記高密度マイクロチップは、血液細胞の大きさの違いに基づいて、血中循環癌細胞を１０分以内に約９０％の回収率で捕捉することができる。
【００４５】
本発明の実施例において、前記高密度マイクロチップの気孔径（ｐｏｒｅ  ｓｉｚｅ）は、好ましくは５．５〜８．５μｍ、より好ましくは６．５〜７．５μｍであってもよい。気孔径が５．５μｍよりも小さい場合には、赤血球および白血球がチップを通過できず、チップ上にかかるようになって除去されない。気孔径が８．５μｍよりも大きい場合には、気孔径が血中循環癌細胞および免疫細胞の大きさよりも大きいため、血中循環癌細胞および免疫細胞がチップを通過して、血中循環癌細胞および免疫細胞を選択的に回収することができない。本発明の一実施例において、前記高密度マイクロチップの気孔形状は、円形、四角形または楕円形であってもよく、好ましくは四角形であってもよい。
【００４６】
本発明の一実施例において、前記高密度マイクロチップの気孔は、規則的なパターンで配置されてもよい。本発明の他の一実施例において、前記高密度マイクロチップは、具体的にはステンレス鋼、ニッケル、アルミニウムまたは銅で作られていてもよい。前記気孔は、メムス（ＭＥＭＳ、Ｍｉｃｒｏ−ｅｌｅｃｔｒｏ  Ｍｅｃｈａｎｉｃａｌ  Ｓｙｓｔｅｍｓ：微小電気機械システム）技術を利用したエッチング（ｅｔｃｈｉｎｇ）によって形成されてもよい。
【００４７】
気孔の中で２つの隣接する気孔間の間隔は、血中循環癌細胞および免疫細胞の直径よりも狭く形成されている。本発明の一実施例によれば、２つの気孔間の間隔は、血中循環癌細胞および免疫細胞の直径に対して４５〜６５％で形成されてもよい。前記高密度マイクロチップは、通路を流れる血液または溶液の圧力によって変形されない。
【００４８】
血液は、気孔を通過した後に外に排出され、血液中の血中循環癌細胞は、気孔を通過せずに表面に残留される。本発明の一実施例によれば、前記血中循環癌細胞は肺癌由来細胞であってもよい。本発明の好適な一実施例によれば、前記血中循環癌細胞は非小細胞肺癌由来細胞であってもよい。
【００４９】
非標的細胞、すなわち血中循環癌細胞よりも高い変形率を有する赤血球は、気孔を容易に通過する。
【００５０】
血中循環癌細胞のろ過後、血中循環癌細胞は、溶液を逆方向または順方向に供給して外に排出することができる。本発明の一実施例によれば、血中循環癌細胞の損傷を最小限に抑えるために、溶液を逆方向に供給してもよい。前記溶液を、注射器、シリンジポンプ、プランジャーポンプ等を使用して供給することができる。本発明の一実施例によれば、前記溶液は、血液を希釈する希釈剤、水（Ｗａｔｅｒ）および希釈用酸から構成されていてもよい。前記溶液の供給によって外に排出される血中循環癌細胞および免疫細胞を、コンテナ（Ｃｏｎｔａｉｎｅｒ）、例えば試験管、ペトリ皿などに収集して簡単に採取することができる。
【００５１】
一方、直径７．５〜１５μｍの血中循環癌細胞は、約１００ｍｍＨｇの圧力が加えられるとき、直径８μｍの管を通過する。直径８μｍの管を通過する直径１５μｍの血中循環癌細胞は、約５３％の変形率を有する。逆洗浄（Ｂａｃｋ  ｗａｓｈｉｎｇ）、すなわち溶液を血液の流れとは反対方向に流して、直径７．５μｍの血中循環癌細胞を外に排出させるとき、血中循環癌細胞の変形率を考慮すると、２つの気孔間の間隔は、好ましくは４μｍ以下である。例えば、非小細胞肺癌と乳癌の癌細胞は、直径が４０μｍ程度に達することが知られている。逆洗浄の際、直径４０μｍの血中循環癌細胞の変形率を考慮すると、好ましくは、２つの気孔間の間隔を２１μｍ以下に設定する。直径７．５μｍの血中循環癌細胞が間隔４μｍを超える２つの気孔の間に存在するとき、血中循環癌細胞が溶液の流れによって変形されて表面から脱落しない場合がある。また、直径４０μｍの癌細胞も間隔２１μｍを超える２つの気孔間の表面から脱落しない場合がある。本発明による高密度マイクロチップにおいて、溶液の圧力を考慮して、２つの気孔間の間隔は、血中循環癌細胞の直径に対して４５〜６５％で設けられる。直径７．５μｍの血中循環癌細胞は、間隔が６５％を超え、すなわち約４．９μｍを超える場合、逆洗浄によって２つの気孔間の表面から脱落しない場合がある。直径４０μｍの血中循環癌細胞は、間隔が６５％を超え、すなわち２６μｍを超える場合、逆洗浄によって２つの気孔間の表面から脱落しない場合がある。２つの気孔間の表面にくっついた血中循環癌細胞を強制的に脱落させるために溶液の圧力を上げると、血中循環癌細胞が損傷して、生きている血中循環癌細胞の採集率が低下する。直径７．５μｍの血中循環癌細胞に対する間隔が４５％未満、すなわち約３．３７５μｍ未満の場合、血液と溶液の流れによって前記高密度マイクロチップが破損する恐れが高い。
【００５２】
本発明の一実施例において、前記高密度マイクロチップで前記試料を繰り返し通過させることができる。具体的には、血中循環癌細胞が前記高密度マイクロチップで一回分離された後、前記分離された血中循環癌細胞を再び前記高密度マイクロチップにロードして分離することができ、前記分離工程を繰り返すことができる。
【００５３】
本発明の一実施例において、前記高密度マイクロチップを用いた血中循環癌細胞の分離は、血中循環癌細胞を含む溶液を高密度マイクロチップにロードした後に特定の人為的圧力を加えることで行われるのではなく、重力を用いて行われてもよい。本発明による高密度マイクロチップを用いた血中循環癌細胞の分離は、血中循環癌細胞への人為的な圧力により引き起こされるダメージを最小限に抑えることにより、患者の体内に存在していた状態をそのまま維持することができる。
【００５４】
本発明の一実施例において、前記高密度マイクロチップは、血中循環癌細胞が分離されるとき、前記高密度マイクロチップによる血中循環癌細胞へのダメージを最小限に抑えるか、前記高密度マイクロチップの繰り返し使用をより効率的にするために、または血中循環癌細胞の回収率をより効率的に高めるために、特定の物質でコーティングされてもよい。前記特定の物質は、具体的に血中循環癌細胞に特異的に結合できる抗体であってもよく、細胞に物理的または化学的にダメージを与えない生体材料であってもよい。本発明の一実施例によれば、前記の特定の物質は、ＢＳＡ（Ｂｏｖｉｎｅ  Ｓｅｒｕｍ  Ａｌｂｕｍｉｎ）または抗体であってもよい。前記抗体は、例えば、抗上皮細胞接着分子抗体（Ａｎｔｉ−Ｅｐｉｔｈｅｌｉａｌ  Ｃｅｌｌ  Ａｄｈｅｓｉｏｎ  Ｍｏｌｅｃｕｌｅ  ａｎｔｉｂｏｄｙ、Ａｎｔｉ−ＥｐＣＡＭ  ａｎｔｉｂｏｄｙ）、抗サイトケラチン抗体（Ａｎｔｉ−Ｃｙｔｏｋｅｒａｔｉｎ  ａｎｔｉｂｏｄｙ、Ａｎｔｉ−ＣＫ  ａｎｔｉｂｏｄｙ）などから構成されていてもよい。本発明の好適な一実施例によれば、前記特定の物質は、ＢＳＡ（Ｂｏｖｉｎｅ  Ｓｅｒｕｍ  Ａｌｂｕｍｉｎ）であってもよい。
【００５５】
前記ＢＳＡ（Ｂｏｖｉｎｅ  Ｓｅｒｕｍ  Ａｌｂｕｍｉｎ）溶液とは、ウシ血清アルブミンをいう。これは、分子量約６６．４ｋＤａ程度のタンパク質であって、ほとんどの動物に大量に含まれている蛋白質である。ＢＳＡは、生化学／生物学において、細胞培養時に細胞の栄養分として加えてもよく、タンパク質の定量で検量線を得るための標準物としても多く使われており、制限酵素を使用する場合、少量の酵素（タンパク質）を使用する必要があるので、溶液内のタンパク質濃度を補うために加えられてもよい。また、種々の生化学的実験（Ｗｅｓｔｅｒｎ  ｂｌｏｔ、Ｉｍｍｕｎｏｃｙｔｏｃｈｅｍｉｓｔｒｙ、ＥＬＩＳＡなど）において、特定の抗体を検出しようとするタンパク質を接着する前に、非特異的結合（ｎｏｎｓｐｅｃｉｆｉｃ  ｂｉｎｄｉｎｇ）、すなわち所望しないタンパク質、あるいは所望しない位置に抗体がくっつく非特異的結合を防ぐために使用されてもよい。
【００５６】
本発明の一実施例によれば、遠心分離法を用いて末梢血を、前記ＢＳＡ溶液でコーティングされた高密度マイクロチップに反応させて、血中循環癌細胞を除いた他の生体高分子を除去することができる。本発明の一実施例によれば、前記高密度マイクロチップを用いた分離は、重力により行われてもよく、具体的には大気圧１０００〜１０２０ｈＰａで、好ましくは大気圧１０００〜１０１５ｈＰａで、より好ましくは大気圧１０００〜１０１３ｈＰａで行われてもよい。
【００５７】
本発明の一実施例によれば、前記ＢＳＡ溶液は、前記高密度マイクロチップの上面、下面または前記気孔の内面にコーティングされてもよい。好ましくは、前記高密度マイクロチップの上面、下面及び前記気孔の内面のすべてにコーティングされてもよい。
【００５８】
本発明の一実施例によれば、前記ＢＳＡ溶液のコーティングは、０．０５〜０．１５％の濃度で行われてもよい。本発明の好ましい実施例によれば、前記ＢＳＡ溶液のコーティングは、０．０８〜０．０１２％の濃度で行われてもよい。
【００５９】
本発明の一実施例によれば、前記ＢＳＡ溶液のコーティングは、５〜１５分間処理されてもよい。本発明の好適な一実施例によれば、前記ＢＳＡ溶液のコーティングは、８〜１２分間処理されてもよい。
【００６０】
図１に示すように、患者の血液からまず血球細胞を除去するために、採血された患者の血液に抗体重合体を入れた後、よく混合し、常温で反応させる。次に、１％ＦＢＳを含むＰＢＳ溶液を加え、反応溶液にＦｉｃｏｌｌ溶液を加えた後、遠心分離により血球細胞を１次的に除去する。このように、本発明では、不要な血球細胞を１次的に除去した後、ＢＳＡ溶液で特別にコーティングされた高密度マイクロチップを用いて、赤血球をろ過して高純度の血中循環癌細胞を分離する。分離された血中循環癌細胞は染色により同定される。前記ＢＳＡでコーティングされた高密度マイクロチップを用いると、本発明において分離しようとする血中循環癌細胞を、損傷を最小限に抑えた状態で分離させることができる。このように高純度の血中循環癌細胞は、本発明のＥＭＬ４−ＡＬＫ遺伝子変異分析方法が効果的に作用できるように、その効率を大幅に高めることができる。
【００６１】
本発明の一実施例によれば、バイオチップを用いて前記液体生検サンプルから血中循環癌細胞を分離するステップの後に、分離された血中循環癌細胞を短期培養するステップをさらに行ってもよい。
【００６２】
本発明の一実施例において、前記の短期培養で使用される培養液は、インスリン、トランスフェリン、ＥＧＦ（Ｅｐｉｄｅｒｍａｌ  Ｇｒｏｗｔｈ  Ｆａｃｔｏｒ：上皮成長因子）およびＲＯＣＫ（Ｒｈｏ−ｋｉｎａｓｅ：Ｒｈｏキナーゼ）阻害剤からなる群から選ばれた少なくとも３つから構成されてもよい。
【００６３】
前記インスリンは、ヒトの代謝系のホルモンの１つであり、膵臓（器官）のランゲルハンス島のベータ細胞から分泌され、血液中のブドウ糖の数値である血糖値を一定に保つ働きをする。血糖値が一定以上に上がるとインスリンが分泌され、血液中のブドウ糖（グルコース）が細胞内に取り込まれて再び多糖（グリコーゲン）の形で蓄える作用を促進する。本発明による短期培養ステップで使用される培養液は、前記インスリンを含むことにより、血中癌細胞を培養するにあたり、従来の血中循環腫瘍細胞培養液よりも細胞の成長および分裂をさらに促進させることができる。本発明の一実施例によれば、前記インスリンは、３〜５０ｎｇ／ｍｌの、３〜４５ｎｇ／ｍｌ、３〜４０ｎｇ／ｍｌ、３〜３０ｎｇ／ｍｌ、４〜５０ｎｇ／ｍｌ、４〜４５ｎｇ／ｍｌ、４〜３０ｎｇ／ｍｌ、５〜５０ｎｇ／ｍｌ、５〜４５ｎｇ／ｍｌまたは５〜３０ｎｇ／ｍｌであってもよい。
【００６４】
前記トランスフェリンはβグロブリンの一種であり、血清中に吸収された2分子の3価鉄イオンと結合して、細胞増殖やヘモグロビン産生に必要な鉄を、トランスフェリン受容体を介して細胞内に供給する鉄輸送タンパク質である。血清中の鉄９９％以上がトランスフェリンと結合し、通常はトランスフェリンの約３分の１が鉄と結合できる。本発明による短期培養ステップで使用される培養液は、前記トランスフェリンを含むことにより、血中癌細胞を培養するにあたり、従来の血中循環腫瘍細胞培養液よりも細胞の成長および分裂をさらに促進させることができる。本発明の一実施例によれば、前記トランスフェリンは、３〜５０ｎｇ／ｍｌ、３〜４５ｎｇ／ｍｌ、３〜４０ｎｇ／ｍｌ、３〜３０ｎｇ／ｍｌ、４〜５０ｎｇ／ｍｌ、４〜４５ｎｇ／ｍｌ、４〜３０ｎｇ／ｍｌ、５〜５０ｎｇ／ｍｌ、５〜４５ｎｇ／ｍｌまたは５〜３０ｎｇ／ｍｌであってもよい。
【００６５】
前記上皮成長因子（Ｅｐｉｄｅｒｍａｌ  Ｇｒｏｗｔｈ  Ｆａｃｔｏｒ、ＥＧＦ）は、上皮成長因子受容体に結合して細胞の成長および分裂を促進させるポリペプチド成長因子である。また、前記上皮成長因子は、タンパク質合成やＲＮＡ合成を促進するほか、オルニチン脱炭酸酵素を誘導することができる。本発明による短期培養ステップで使用される培養液は、前記上皮成長因子を含むことにより、血中癌細胞を培養するにあたり、従来の血中循環腫瘍細胞培養液よりも細胞の成長および分裂をさらに促進させることができる。本発明の実施例によれば、前記上皮成長因子は、０．５〜１０ｎｇ／ｍｌ、０．５〜９ｎｇ／ｍｌ、０．５〜８ｎｇ／ｍｌ、０．５〜７ｎｇ／ｍｌ、０．５〜６ｎｇ／ｍｌ、０．５〜５ｎｇ／ｍｌ、０．７〜１０ｎｇ／ｍｌ、０．７〜９ｎｇ／ｍｌ、０．７〜８ｎｇ／ｍｌ、０．７〜７ｎｇ／ｍｌ、０．７〜６ｎｇ／ｍｌ、０．７〜５ｎｇ／ｍｌ、１〜１０ｎｇ／ｍｌ、１〜９ｎｇ／ｍｌ、１〜８ｎｇ／ｍｌ、１〜７ｎｇ／ｍｌ、１〜６ｎｇ／ｍｌまたは１〜５ｎｇ／ｍｌであってもよい。
【００６６】
前記ＲＯＣＫ（Ｒｈｏ−ａｓｓｏｃｉａｔｅｄ  ｐｒｏｔｅｉｎ  ｋｉｎａｓｅ）阻害剤は、Ｒｈｏキナーゼ（ＲＯＣＫ）をターゲットにしてその機能を阻害または低下させることができる化合物を意味する。ここで、Ｒｈｏキナーゼは、セリン−トレオニンキナーゼのＡＧＣファミリー（ＰＫＡ／ＰＫＧ／ＰＫＣ）に属するキナーゼである。前記Ｒｈｏキナーゼは、細胞骨格（ｃｙｔｏｓｋｅｌｅｔｏｎ）に作用することにより、細胞の運動および形態を制御する過程に関連している。具体的には、前記Ｒｈｏキナーゼは、細胞の移動およびアクチン組織化の調節因子として作用することができる。前記Ｒｈｏキナーゼは、糖尿病、出血性脳血管疾患、パーキンソン氏病などの神経変性疾患に関連しており、前記Ｒｈｏキナーゼ阻害剤は、前記Ｒｈｏキナーゼ関連疾患の治療および阻害に使用できる。本発明の一実施例によれば、前記ＲＯＣＫ阻害剤は、ファスジル（Ｆａｓｕｄｉｌ）、リパスジル（Ｒｉｐａｓｕｄｉｌ）、ＲＫＩ−１４４７及びＹ２７６３２からなる群から選択された少なくとも１つであってもよい。前記ファスジルは、ＲＯＣＫ阻害剤の１つであって、脳血管痙攣の治療に使用でき、肺高血圧症の治療にも効果的である。前記リパスジルは、前記ファスジルの誘導体であって、ＲＯＣＫ阻害剤として作用でき、緑内障または高眼圧症の治療にも使用できる。前記ＲＫＩ−１４４７は、ＲＯＣＫ１及びＲＯＣＫ２を阻害することができる。前記Ｙ２７６３２は、細胞を通過して、酵素の触媒部位に結合するためにＡＴＰと競合することにより、ＲＯＣＫ１およびＲＯＣＫ２を阻害することができる。本発明の一実施例によれば、前記ＲＯＣＫ阻害剤は、３〜３０μＭ、３〜２７μＭ、３〜２４μＭ、３〜２１μＭ、４〜２０μＭ、４〜３０μＭ、４〜２７μＭ、４〜２４μＭ、４〜２１μＭ、４〜２０μＭであってもよい。
【００６７】
本発明による短期培養で使用される前記培養プレートは、細胞接着を防ぐ表面を有してもよい。本発明の一実施例によれば、血中癌細胞を浮遊状態で培養することができるため、細胞接着を防ぐために前記培養プレートの表面をコーティングしてもよい。前記培養プレートの表面コーティングは、ハイドロゲルで行われてもよい。前記ハイドロゲルは、水を分散媒とするゲルを意味し、ヒドロゾルが冷却により流動性を喪失したり、３次元網目構造および微結晶構造を有する親水性高分子が水を含有して膨張したりして形成される。具体的には、前記ハイドロゲルは、共有結合、水素結合、ファンデルワールス結合または物理的結合などの凝集力によって架橋された親水性高分子であって、水溶液上で多量の水を内部に含有して膨潤できる３次元高分子ネットワーク構造を有する物質である。このように、水を吸収した状態では、生体の組織と同様の挙動を示す。前記ハイドロゲルは、温度、ｐＨなどにより相転移するため、膨張率を不連続的に変化させることができ、コンタクトレンズ、医療用電極、細胞培養に使用できる。本発明の一実施例によれば、前記ハイドロゲルは、血中癌細胞が培養プレートの表面に接着されるのを防ぐために、培養プレート上に共有結合的にコーティングされてもよい。本発明の他の一実施例によれば、前記ハイドロゲルは、中性電荷を持ちながら親水性を有してもよい。前記中性電荷を持つということは、電荷が正でも負でもないことを意味し、前記親水性とは、水に対する強い親和性を意味し、水によく溶けることを意味する。
【００６８】
本発明の一実施例において、前記短期培養するステップは、培養の開始から１〜１５日間行われてもよい。本発明の他の実施例においては、５〜１５日、好ましくは１０〜１５日、より好ましくは１２〜１５日であってもよい。
【００６９】
前記血中循環癌細胞に特異的に結合する蛍光マーカーとは、血中循環癌細胞自体または内外部に存在する物質に特異的に結合できる蛍光物質を意味する。本発明の一実施例によれば、血中循環癌細胞を識別できる蛍光マーカーは、細胞核に特異的に結合することができ、または細胞の内外部に存在するタンパク質やＤＮＡ、ＲＮＡなど特異的に結合することができる。具体的には、細胞核にはＤＡＰＩが蛍光マーカーとして使用でき、中間径フィラメントタンパク質であるビメンチン（ｖｉｍｅｎｔｉｎ）に特異的に結合する蛍光マーカーが使用でき、前立腺特異抗原（ＰＳＡ：ｐｒｏｓｔａｔｅ  ｓｐｅｃｉｆｉｃ  ａｎｔｉｇｅｎ）と前立腺特異的膜抗原（ＰＳＭＡ：ｐｒｏｓｔａｔｅ  ｓｐｅｃｉｆｉｃ  ｍｅｍｂｒａｎｅ  ａｎｔｉｇｅｎ）に特異的に結合する蛍光マーカーが使用でき、上皮細胞接着分子（ＥｐＣＡＭ：ｅｐｉｔｈｅｌｉａｌ  ｃｅｌｌ  ａｄｈｅｓｉｏｎ  ｍｏｌｅｃｕｌｅ）とサイトケラチン（ＣＫ：ｃｙｔｏｋｅｒａｔｉｎ）に特異的に結合する蛍光マーカーが使用でき、非標的細胞除去手段として使われるＣＤ４５に特異的に結合する蛍光マーカーが使用できる。前記血中循環癌細胞に特異的に結合する蛍光マーカーは、ヌクレオチド、オリゴヌクレオチド、ペプチド、ポリペプチド、核酸またはタンパク質からなってもよく、タンパク質からなる抗体であってもよい。前記血中循環癌細胞に特異的に結合する蛍光マーカーは、血中循環癌細胞に特異的に結合して識別可能にする物質であれば何でも構わない。
【００７０】
前記前立腺特異抗原（ＰＳＡ、ｐｒｏｓｔａｔｅ  ｓｐｅｃｉｆｉｃ  ａｎｔｉｇｅｎ）および前立腺特異膜抗原（ＰＳＭＡ、ｐｒｏｓｔａｔｅ  ｓｐｅｃｉｆｉｃ  ｍｅｍｂｒａｎｅ  ａｎｔｉｇｅｎ）は、前立腺の上皮細胞で合成されるタンパク分解酵素であり、前立腺以外の組織ではほとんど発現しないため、前立腺癌のスクリーニング（選別）に有用なバイオマーカーである。しかしながら、ＰＳＡおよびＰＳＭＡは、前立腺組織に特異的であるが、腫瘍には特異的ではないため、前立腺肥大症、前立腺炎、前立腺梗塞などでも増加する可能性がある。
【００７１】
このため、前立腺癌種を識別するためには、前立腺特異抗原に加えて、ＡＲ（Ａｎｄｒｏｇｅｎ  Ｒｅｃｅｐｔｏｒ、アンドロゲン受容体）変異体、例えば、ＡＲ−Ｖ７またはＡＲ−Ｖ５６７などのバイオマーカーをさらに使用しなければならない。
【００７２】
ＡＲ変異体は、ＡＲに変異が起こったタンパク質であり、最も臨床的に見られる２つの種は、ＡＲ−Ｖ７とＡＲ−Ｖ５６７である。前記ＡＲ−Ｖ５６７は、去勢抵抗性前立腺癌患者の癌組織に５９％の割合で存在し、アンドロゲン遮断療法（ａｎｄｒｏｇｅｎ  ｄｅｐｒｉｖａｔｉｏｎ  ｔｈｅｒａｐｙ）またはアビラテロン（ａｂｉｒａｔｅｒｏｎｅ）治療に反応して発現する（Ｓｕｎ  ｅｔ  ａｌ．，Ｊ  Ｃｌｉｎ  Ｉｎｖｅｓｔ  １２０，２７１５（Ａｕｇｕｓｔ，２０１０）；Ｍｏｓｔａｇｈｅｌ  ｅｔ  ａｌ．，Ｃｌｉｎ  Ｃａｎｃｅｒ  Ｒｅｓ  １７，５９１３（Ｓｅｐ．１５，２０１１））。
【００７３】
前記ＡＲ−Ｖ７（ａｎｄｒｏｇｅｎ  ｒｅｃｅｐｔｏｒ  ｓｐｌｉｃｅ  ｖａｒｉａｎｔ７：アンドロゲン受容体スプライスバリアント７）は、Ｃ末端ＬＢＤ（ｌｉｇａｎｄ−ｂｉｎｄｉｎｇ  ｄｏｍａｉｎ：リガンド結合ドメイン）が切断されて存在しないＡＲタンパク質をエンコードする。しかしながら、前記ＡＲ−Ｖ７は、転写因子として、構造的に活性状態を維持し、標的遺伝子の活性を促進させることができる。
【００７４】
本発明の一実施例によれば、前記ＡＲ−Ｖ７およびＡＲ−Ｖ５６７は、細胞核に浸透して細胞核内に局所化（ｌｏｃａｌｉｚａｔｉｏｎ）されてもよい。
【００７５】
前記ＡＲ−Ｖ７またはＡＲ−Ｖ５６７に特異的に結合する蛍光マーカーは、ＡＲ−Ｖ７またはＡＲ−Ｖ５６７に特異的に結合できる蛍光物質であってもよい。具体的には、ＡＲ−Ｖ７またはＡＲ−Ｖ５６７に特異的に結合できる抗体であってもよい。
【００７６】
前記光学画像は、イメージングシステムによって生成されてもよい。本発明の一実施例によれば、前記イメージングシステムは細胞イメージングシステムであってもよい。前記細胞イメージングシステムは、例えば、スライドガラスなどのプラットフォーム上に染色された細胞を置き、種々の波長別に細胞を観察し、撮影するシステムである。細胞イメージングシステムは、自動細胞計数（ｃｅｌｌ  ｃｏｕｎｔｉｎｇ）モジュールは、蛍光強度（ｉｎｔｅｎｓｉｔｙ）分析モジュールは、細胞診（ｃｙｔｏｌｏｇｙ）ベースの細胞分類／認識（ｃｅｌｌ  ｃｌａｓｓｉｆｉｃａｔｉｏｎ／ｃｏｇｎｉｔｉｏｎ）モジュールを含んでいてもよい。また、ユーザフレンドリな機能として、ユーザインタフェースには、測定（Ｍｅａｓｕｒｅｍｅｎｔ）機能、レポート（Ｒｅｐｏｒｔ）自動生成機能、およびＤＢ管理機能を含んでいてもよい。このような細胞イメージングシステムは、細胞、培養液、デブリ（ｄｅｂｒｉｓ）などを区別し、ユーザが所望の細胞を判別して計数するためのデジタル映像分析装備を含む。本発明の一実施例による細胞イメージングシステムは、光学的画像から蛍光標識されたまたはマーカーが結合された標的細胞を正確に識別し計数することができる。
【００７７】
前記光学的画像は、物体から反射された反射光によって撮像された光学画像であってもよい。細胞の光学画像は、細胞イメージング装置によって出力され、背景上に細胞とデブリなどが撮像されたものであってもよい。この光学画像は、特定の波長範囲のそれぞれについて複数の分割画像をステッチ（ｓｔｉｔｃｈｉｎｇ）して形成された一つの画像ファイルとして提供されてもよい。ここで、複数の波長範囲の光学画像は、青色の波長範囲の画像、緑色の波長範囲の画像、及び赤色の波長範囲の画像を含んでいてもよい。青色の波長範囲の光学画像は、血中循環癌細胞の細胞核の判別に特に有用であり、緑色の波長範囲及び赤色の波長範囲の光学画像は、血中循環癌細胞の細胞膜の判別に特に有用である。そのほかにも様々な色（カラー）の波長範囲を用いて、特定の蛍光マーカーを識別することが可能である。
【００７８】
前記第１フィルタ処理または第２フィルタ処理において、細胞またはＡＲ変異体の識別が必要なレベルで行われなければ、光学画像データのデータフィルタ処理を実行し、再び第１フィルタ処理または第２フィルタ処理を行ってもよく、データフィルタ処理を複数回実行してもよい。また、第１フィルタ処理または第２フィルタ処理が行われた後には、画像データを保存し、それを出力することができる。
【００７９】
また、第１波長範囲の光学画像において第１フィルタ処理ステップおよび第２フィルタ処理ステップを行い、次いで第１波長範囲とは異なる第２波長範囲の光学画像において第１フィルタ処理ステップおよび第２フィルタ処理ステップのうち１つ以上のステップをさらに行ってもよい。
【００８０】
例えば、第１波長範囲は青色の波長範囲、第２波長範囲は緑色または赤色の波長範囲であってもよい。この場合、青色の波長範囲の画像において第１フィルタ処理及び第２フィルタ処理を行うことで、血中循環癌細胞の細胞核を判別することができる。また、緑色の波長範囲の画像と赤色の波長範囲の画像のうちの１つ以上の画像において第１フィルタ処理を行うことで、血中循環癌細胞の細胞膜を判別することができる。このような第１および第２のフィルタ処理により光学画像から細胞を正確に識別することが可能になる。例えば、緑色及び赤色の波長範囲の画像では、例えば白血球と癌細胞などの標的細胞に対する識別性が高くなる。図５には、実際の標的細胞の青色の波長範囲の画像（ａ）、緑色の波長範囲の画像（ｂ）、および赤色の波長範囲の画像（ｃ）のサンプル写真が示されている。
【００８１】
一方、第２フィルタ処理工程では、血中循環癌細胞のモルフォロジーを測定するが、ここで血中循環癌細胞のモルフォロジーは、細胞の面積（ａｒｅａ）、細胞サイズ（ｄｉａｍｅｔｅｒ）、及び真円度（ｃｉｒｃｕｌａｒｉｔｙ）のうちの１つ以上を含んでいてもよい。
【００８２】
本発明の一実施例において、ＡＲ変異体の蛍光強度は、ＡＲ変異体に特異的に結合する蛍光マーカーからの複数の波長範囲の全体または一部の光学画像から測定し、この場合、第１フィルタ処理を行ってもよい。
【００８３】
ＡＲ変異体に加えて、血中循環癌細胞の蛍光強度を測定し、第１フィルタ処理を行う過程についてより具体的に説明すると、次の通りである。複数の波長範囲の全体または一部の光学画像から細胞の大きさを測定し、その後、測定された細胞の大きさよりも所定の割合または量だけ大きい多角形または円形からなる領域を設定し、この領域内で細胞の蛍光強度を測定し、第１フィルタ処理を行ってもよい。
【００８４】
図７には、種々の蛍光色素またはマーカーが結合された血中循環癌細胞の形状と蛍光強度の測定結果が示されている。すなわち、細胞核をＤＡＰＩで染色した場合（ａ）、ビメンチン（ｖｉｍｅｎｔｉｎ）をマーカーとして使用した場合（ｂ）、上皮細胞接着分子（ＥｐＣＡＭ：ｅｐｉｔｈｅｌｉａｌ  ｃｅｌｌ  ａｄｈｅｓｉｏｎ  ｍｏｌｅｃｕｌｅ）とサイトケラチン（ＣＫ：ｃｙｔｏｋｅｒａｔｉｎｓ）をマーカーとして使用した場合（ｃ）、およびＣＤ４５をマーカーまたは非標的細胞除去手段として使用した場合（ｄ）が、それぞれ示されている。それぞれの場合について、例えば、青色の波長範囲の光学画像から細胞の大きさを測定した後、測定されたサイズよりも１０％以上の大きさを有する四角形を設定し、この四角形内で細胞の蛍光強度を測定し、第１フィルタ処理を行ってもよい。その次、他の色、例えば緑、赤、黄色の波長範囲の光学画像からも、同じ座標とサイズ領域で蛍光強度を測定することができる。図７の（ａ）から図７の（ｄ）は、それぞれ青、緑、黄および赤色の波長範囲の画像であり、図７の（ｅ）は、各波長範囲の画像から測定した蛍光強度の結果を示す。
【００８５】
前記第３フィルタ処理ステップでは、複数の波長範囲の各光学画像の全体または一部をマージした統合画像から、血中循環癌細胞のモルフォロジーを測定し、第３フィルタ処理を行う。ここで、血中循環癌細胞のモルフォロジーは、細胞面積、細胞サイズ、および真円度のうちの１つ以上を含んでいてもよい。
【００８６】
例えば、図６に示すように、青色の波長範囲の光学画像、緑色の波長範囲の画像、及び赤色の波長範囲の画像をすべて結合した統合画像を生成し、この統合イメージから血中循環癌細胞のモルフォロジーを測定し、第３フィルタ処理を行ってもよい。この統合画像を用いた第３フィルタ処理により、例えば、ＡＲ変異体の細胞核への局所化（ｌｏｃａｌｉｚａｔｉｏｎ）の有無を判別することができる。
【００８７】
前記第３フィルタ処理は、血中循環癌細胞全体に対して行ってもよく、第１及び第２のフィルタ処理工程で細胞の識別が困難な場合に補足的に行ってもよい。さらなる識別が必要な場合は、別途のデータフィルタ処理を行うか、または第３フィルタ処理を多数回行ってもよい。
【００８８】
前記画像分析は、コンピュータプログラムによって実行されてよい。このようなコンピュータプログラムは、プロセッサ、コントローラ、ＡＬＵ（ａｒｉｔｈｍｅｔｉｃ  ｌｏｇｉｃ  ｕｎｉｔ：演算装置）、デジタル信号プロセッサ（ｄｉｇｉｔａｌ  ｓｉｇｎａｌ  ｐｒｏｃｅｓｓｏｒ）、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）の実行と応答ができる他の装置のように、１つ以上の汎用コンピュータまたは特殊目的のコンピュータを用いて実現されてもよい。
【００８９】
図８は、画像分析を実現したプログラムの駆動例であり、本発明の実施例による光学画像分析をアルゴリズムにより実現した分析ソフトウェアのユーザインタフェースの一例である。このソフトウェアを用いて細胞の識別と計数を短時間で自動的に行うことができる。
【図１】
2020529023.tif 000004
【図２】
2020529023.tif 000005
【図３】
2020529023.tif 000006
【図４】
2020529023.tif 000007
【図５】
2020529023.tif 000008
【図６】
2020529023.tif 000009
【図７】
2020529023.tif 000010
【図８】
2020529023.tif 000011
【図９】
2020529023.tif 000012
【図１０】
2020529023.tif 000013
【国際調査報告】
2020529023.tif 000014
2020529023.tif 000015
2020529023.tif 000016
2020529023.tif 000017
2020529023.tif 000018
2020529023.tif 000019
2020529023.tif 000020
2020529023.tif 000021
2020529023.tif 000022
2020529023.tif 000023